(57)【要約】【課題】  会議の様態を簡単に知ることができる情報処理装置を提供することを目的とする。【解決手段】  会議様態解析装置１は、発話データを含む会議データを記憶する発話データベース２と、発話データベース２に記憶された発話データから発話単語数を集計して、発話単語数の平均および発話単語数の標準偏差を求める解析部３と、解析部３が求めた発話単語数の平均および前記発話単語数の標準偏差を発話データに関連付けて記憶するアノテーションデータベース４と、発話単語数の平均および発話単語数の標準偏差を発話データの時間軸に対応させたグラフを表示する表示制御部５とを備える。これにより、会議参加者それぞれの発話量やその偏りを算出することができるため、ひとりがずっと発話している場合のように大きな偏りがある場合や複数の人々が均等に発話している場合のように小さな偏りがある場合を判定することができる。【選択図】          図１
2006251042.tif 000002
【特許請求の範囲】
【請求項１】
発話データを記憶する記憶手段と、
前記記憶手段に記憶された発話データから発話単語数を集計して、発話単語数の平均および発話単語数の標準偏差の少なくとも一方を求める解析手段と
を備えることを特徴とする情報処理装置。
【請求項２】
前記解析手段が求めた発話単語数の平均および前記発話単語数の標準偏差の少なくとも一方を前記発話データに関連付けて記憶する記憶手段をさらに備えることを特徴とする請求項１に記載の情報処理装置。
【請求項３】
前記解析手段が求めた発話単語数の平均または前記発話単語数の標準偏差を前記発話データに関連付けて記憶する記憶手段と、
前記記憶手段の中から入力された検索条件を満たす発話単語数の平均および前記発話単語数の標準偏差の少なくとも一方を検索する検索手段と
をさらに備えることを特徴とする請求項１に記載の情報処理装置。
【請求項４】
前記発話単語数の平均および前記発話単語数の標準偏差の少なくとも一方を前記発話データの時間軸に対応させたグラフを表示する表示制御手段をさらに備えることを特徴とする請求項１または請求項３に記載の情報処理装置。
【請求項５】
前記解析手段は、前記発話単語数の平均および前記発話単語数の標準偏差の少なくとも一方を前記発話データのアノテーションとして付与することを特徴とする請求項１に記載の情報処理装置。
【請求項６】
所定時間で切り出された発話データに基づいて、話者を特定するステップと、
前記所定時間で切り出された発話データに基づいて、各話者の発話単語数を集計するステップと、
前記各話者の発話単語数に基づいて、発話単語数の平均および発話単語数の標準偏差の少なくとも一方を求めるステップと
を有することを特徴とする情報処理方法。
【請求項７】
前記発話単語数の平均および前記発話単語数の標準偏差の少なくとも一方を前記発話データの時間軸に対応させたグラフを表示するステップをさらに有することを特徴とする請求項６に記載の情報処理方法。
【請求項８】
前記話者単語数の平均および前記話者単語数の標準偏差の少なくとも一方を、前記発話データのアノテーションとして付与するステップをさらに有することを特徴とする請求項６に記載の情報処理方法。
【請求項９】
所定時間で切り出された発話データに基づいて、話者を特定するステップ、
前記所定時間で切り出された発話データに基づいて、各話者の発話単語数を集計するステップ、
前記各話者の発話単語数に基づいて、発話単語数の平均および発話単語数の標準偏差の少なくとも一方を求めるステップをコンピュータに実行させるためのプログラム。
【請求項１０】
前記発話単語数の平均および前記発話単語数の標準偏差の少なくとも一方を前記発話データの時間軸に対応させたグラフを表示するための情報を生成するステップをさらにコンピュータに実行させる請求項９に記載のプログラム。
【発明の詳細な説明】
【技術分野】
【０００１】
本発明は、情報処理装置、情報処理方法およびプログラムに関する。
【背景技術】
【０００２】
従来、会議において、互いに関連のある発言相互の関係が発言者チャートに表示できると便利である。例えば、一の会議参加者が、他の会議参加者に対して意見を述べたり、質問をぶつけた時に、他の会議参加者が、それに対して回答や反論を行うインタラクティブな場面が、チャートから判別できると、そこでは、何らかの議論があったことが分かり、記録された会議情報の検索者は、それを手掛かりとして、再生したい議論部分を、簡単に検索することができると期待される。これを実現する従来技術として以下のようなものが提案されている。
【０００３】
特許文献１記載の装置は、発言者毎の発言区間の情報と、発言者毎の姿勢とを対応付けて記録し、さらに発言が誰に対するものであるかを特し、所定の時間区間における発言の流れを表示するので、発言相互の関係が表示できる。
【０００４】
【特許文献１】特開平１１−２５９５０１号公報
【発明の開示】
【発明が解決しようとする課題】
【０００５】
しかしながら、上記従来技術では、発言相互の関係を知ることができるものの、単一の発言者がしばらく発言を続けているプレゼンテーション的な場面や、多くの参加者が均一に話している議論的な場面などのように、発言者の偏り方、盛り上がり方などの会議の様態を知ることはできなかった。したがって、その会議記録のデータを初めから終わりまで流しながら確認しなければならなかった。
【０００６】
そこで、本発明は、上記問題点に鑑みてなされたもので、会議の様態を簡単に知ることができる情報処理装置、情報処理方法およびプログラムを提供することを目的とする。
【課題を解決するための手段】
【０００７】
上記課題を解決するために、本発明は、発話データを記憶する記憶手段と、前記記憶手段に記憶された発話データから発話単語数を集計して、発話単語数の平均および発話単語数の標準偏差の少なくとも一方を求める解析手段とを備える情報処理装置である。本発明によれば、発話データから発話単語数を集計して、発話単語数の平均および発話単語数の標準偏差の少なくとも一方を求めることで、たとえば、会議参加者それぞれの発話量やその偏りを算出することができるため、ひとりがずっと発話している場合のように大きな偏りがある場合や複数の人々が均等に発話している場合のように小さな偏りがある場合を判定することができる。このようにして、たとえば単一の発言者がしばらく発言を続けているプレゼンテーション的な場面や、多くの参加者が均一に話している議論的な場面など、発言者の偏り方、盛り上がり方などの会議の様態を簡単に知ることができる。
【０００８】
本発明の情報処理装置は、前記解析手段が求めた発話単語数の平均および前記発話単語数の標準偏差の少なくとも一方を前記発話データに関連付けて記憶する記憶手段をさらに備える。本発明の情報処理装置は、前記解析手段が求めた発話単語数の平均または前記発話単語数の標準偏差を前記発話データに関連付けて記憶する記憶手段と、前記記憶手段の中から入力された検索条件を満たす発話単語数の平均および前記発話単語数の標準偏差の少なくとも一方を検索する検索手段とをさらに備える。
【０００９】
本発明の情報処理装置は、前記発話単語数の平均および前記発話単語数の標準偏差の少なくとも一方を前記発話データの時間軸に対応させたグラフを表示する表示制御手段をさらに備える。前記解析手段は、前記発話単語数の平均および前記発話単語数の標準偏差の少なくとも一方を前記発話データのアノテーションとして付与することを特徴とする。これにより、付与されたアノテーションに基づいて後で検索を行うことができる。
【００１０】
本発明は、所定時間で切り出された発話データに基づいて、話者を特定するステップと、前記所定時間で切り出された発話データに基づいて、各話者の発話単語数を集計するステップと、前記各話者の発話単語数に基づいて、発話単語数の平均および発話単語数の標準偏差の少なくとも一方を求めるステップとを有する情報処理方法である。本発明によれば、発話データから発話単語数を集計して、発話単語数の平均および発話単語数の標準偏差の少なくとも一方を求めることで、たとえば、会議参加者それぞれの発話量やその偏りを算出することができるため、ひとりがずっと発話している場合のように大きな偏りがある場合や複数の人々が均等に発話している場合のように小さな偏りがある場合を判定することができる。
【００１１】
本発明の情報処理方法は、前記発話単語数の平均および前記発話単語数の標準偏差の少なくとも一方を前記発話データの時間軸に対応させたグラフを表示するステップをさらに有する。本発明の情報処理方法は、前記話者単語数の平均および前記話者単語数の標準偏差の少なくとも一方を、前記発話データのアノテーションとして付与するステップをさらに有する。
【００１２】
本発明は、所定時間で切り出された発話データに基づいて、話者を特定するステップ、前記所定時間で切り出された発話データに基づいて、各話者の発話単語数を集計するステップ、前記各話者の発話単語数に基づいて、発話単語数の平均および発話単語数の標準偏差の少なくとも一方を求めるステップをコンピュータに実行させるためのプログラムである。本発明によれば、発話データから発話単語数を集計して、発話単語数の平均および発話単語数の標準偏差の少なくとも一方を求めることで、たとえば、会議参加者それぞれの発話量やその偏りを算出することができるため、ひとりがずっと発話している場合のように大きな偏りがある場合や複数の人々が均等に発話している場合のように小さな偏りがある場合を判定することができる。
【００１３】
本発明のプログラムは、前記発話単語数の平均および前記発話単語数の標準偏差の少なくとも一方を前記発話データの時間軸に対応させたグラフを表示するための情報を生成するステップをさらにコンピュータに実行させる。
【発明の効果】
【００１４】
本発明によれば、たとえば会議の様態を簡単に知ることができる情報処理装置、情報処理方法およびプログラムを提供できる。
【発明を実施するための最良の形態】
【００１５】
以下、本発明を実施するための最良の形態について説明する。
【実施例１】
【００１６】
図１は、本発明の第１実施例に係る会議様態解析装置（情報処理装置）のブロック図である。図１に示すように、会議様態解析装置１は、発話データベース２、解析部３、アノテーションデータベース４、表示制御部５および表示部６を備える。発話データベース２は、少なくとも会議参加者の音声データ（発話データ）を含む会議記録データを記憶する。
【００１７】
図２は発話データベース２の内容を示す図である。図２に示すように、発話データベース２は、時刻、話者（Ａ、Ｂ、Ｃ、Ｄ）、発話内容のフィールドを含む。図２では発話内容をテキストで示しているが実際に発話データベース２に格納されているのは、音声データである。解析部３は、発話データベース２に記憶された発話データから各話者の発話単語数を集計して、発話単語数の平均値および発話単語数の標準偏差の少なくとも一方を求め、発話単語数の平均および発話単語数の標準偏差を発話データのアノテーションとして付与する。ここで発話単語数の標準偏差とは、発話単語数の平均からの隔たり（距離）を平均化したものである。
【００１８】
アノテーションデータベース４は、解析部３が求めた発話単語数の平均および発話単語数の標準偏差を時刻を用いて発話データに関連付けて記憶する。表示制御部５は、表示を制御するものであり、各話者の発話単語数の平均および前記発話単語数の標準偏差を発話データの時間軸に対応させたグラフを表示する。表示部６は、たとえばディスプレイ装置により構成される。
【００１９】
次に、解析部３の動作について説明する。図３は、解析部３の動作フローチャートである。ステップＳ１１で、解析部３は、発話データベース２から一定時間（たとえば１分間）のデータを切り出す。ステップＳ１２で、解析部３は、たとえば話者Ｂ、話者Ｃ、話者Ｅさんのように登場する話者を特定する。ステップＳ１３で、解析部３は、それぞれの話者のその１分間の発話単語数を集計する。ここでは、たとえば、話者Ｂさんの発話単語数が５０単語、話者Ｃさんの発話単語数が５単語、話者Ｅさんの発話単語数が５単語であるとする。ステップＳ１４で、解析部３は、発話単語数の平均値Ｘを計算する。また、解析部３は、式１を用いて発話単語数の標準偏差σを計算する。
【００２０】
【数１】
2006251042.tif 000003
ここで、Ｎは話者数、ｘは各話者の発話単語数を示す。ステップＳ１５で、発話単語数の平均値Ｘと発話単語数の標準偏差σをアノテーションデータベース４に保存する。
【００２１】
図４は、表示部６による表示例である。図４において、横軸は会議経過時間で発話データベース２に記憶された会議記録データの会議開始時刻と会議終了時刻に対応する。縦軸は破線が各話者の発話単語数の平均値Ｘ、実線が発話単語数の標準偏差σをそれぞれ示す。発話単語数の平均値Ｘが大きくで、発話単語数の標準偏差σが小さい場合、参加者が均等に話していることがわかる（１）。発話単語数の平均値Ｘが小さく、発話単語数の標準偏差σが小さい場合、皆が話していないことがわかる（２）。発話単語数の平均値Ｘが大きく、発話単語数の標準偏差σが大きい場合、一人が集中して話していることがわかる（３）。時間軸上である１点を選べば、そこの音声を再生することができる。また、点線で示すバー２０を移動またはクリックすることで、その時点の話者データ（音声）を再生することができる。以上のように、参加者の音声を解析することにより、たとえば単一の発言者がしばらく発言を続けているプレゼンテーション的な場面や、多くの参加者が均一に話している議論的な場面など、発言者の偏り方、盛り上がり方などの会議の様態を判定することができる。
【実施例２】
【００２２】
次に、第２実施例について説明する。図５は、本発明の第２実施例に係る会議様態検索装置（情報処理装置）のブロック図である。図５に示すように、会議様態検索装置１００は、発話データベース２、解析部３、アノテーションデータベース４、表示制御部５、表示部６、検索条件設定部７および検索部８を備える。なお、実施例１と同一部分は同一符号を付して説明を省略する。発話データベース２は、少なくとも会議参加者の音声データ（発話データ）を含む会議記録データを複数の会議分だけ記憶する。
【００２３】
解析部３は、各会議ごとに、発話データベース２に記憶された発話データから各話者の発話単語数を集計して、発話単語数の平均値および発話単語数の標準偏差の少なくとも一方を求める。アノテーションデータベース４は、解析部３が求めた発話単語数の平均および発話単語数の標準偏差を時刻を用いて発話データに関連付けて各会議ごと（会議１〜会議ｎ）に記憶する。アノテーションデータベース４には、ひとつの会議記録データに対して、時刻、発話単語数の平均（発話量の平均）、発話単語数の標準偏差の形式のデータの集合がひとつ格納される。
【００２４】
検索条件設定部７は、たとえばマウスやキーボード等の入力手段から構成され、「参加者が均等に発言している部分」、「皆が発話していない部分」、「一人が集中して話している部分」などの会議様態を設定することができ、また、発話単語の平均、発話単語の標準偏差を直接指定することもできる。これにより、会議様態をキーとした会議記録データの検索も行うことができる。検索部８は、アノテーションデータベース４の中から入力された検索条件を満たす発話単語数の平均および前記発話単語数の標準偏差を検索する。ここでは、会議３と会議５がヒットしたとする。
【００２５】
表示制御部５は、図６に示すように、会議３と会議５の発話単語数の平均および発話単語数の標準偏差を発話データの時間軸に対応させたグラフを表示部６に表示し、さらに会議３と会議５の発話単語数と発話単語数の標準偏差の該当箇所を識別可能に表示する。
【００２６】
本実施例による会議様態検索装置によれば、上述のようなデータの集合を、多くの会議記録データに対して作成し、蓄積しておくことによって、多くの会議記録データの中から、たとえば「参加者が均等に発言している部分」「皆が発話していない部分」「一人が集中して話している部分」などのような会議様態をキーとして所望の場面を検索することができる。
【００２７】
なお、本発明による情報処理方法は、例えば、ＣＰＵ（Central Processing Unit）、ＲＯＭ(Read Only Memory)、ＲＡＭ(Random Access Memory)等を用いて実現され、プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、各ステップが実現される。すなわち、プログラムは、所定時間で切り出された発話データに基づいて、話者を特定するステップ、前記所定時間で切り出された発話データに基づいて、各話者の発話単語数を集計するステップ、前記各話者の発話単語数に基づいて、発話単語数の平均および発話単語数の標準偏差の少なくとも一方を求めるステップ、前記発話単語数の平均および前記発話単語数の標準偏差の少なくとも一方を前記発話データの時間軸に対応させたグラフを表示するための情報を生成するステップをＣＰＵ（コンピュータ）に実行させる。
【００２８】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００２９】
【図１】本発明の第１実施例に係る会議様態解析装置のブロック図である。
【図２】発話データベース２の内容を示す図である。
【図３】解析部３の動作フローチャートである。
【図４】表示部６による表示例である。
【図５】本発明の第２実施例に係る会議様態検索装置のブロック図である。
【図６】会議３と会議５の発話単語数の平均および発話単語数の標準偏差を発話データの時間軸に対応させたグラフを示す図である。
【符号の説明】
【００３０】
１  会議様態解析装置
２  発話データベース
３  解析部
４  アノテーションデータベース
５  表示制御部
６  表示部
１００  会議様態検索装置
７  検索条件設定部
８  検索部
【図１】
2006251042.tif 000004
【図２】
2006251042.tif 000005
【図３】
2006251042.tif 000006
【図４】
2006251042.tif 000007
【図５】
2006251042.tif 000008
【図６】
2006251042.tif 000009